(57)【要約】【課題】本発明は、加速度に基づいて画面の表示方向を変換できる携帯端末であって、画面の表示方向を変換する際に、ユーザに回転軸を指定させることで、ユーザの意図に反した変換を防止するとともに、表示内容のうちのユーザが表示させたい部分を表示させたままの状態で表示方向を変換できる携帯端末を提供する。【解決手段】画面を表示する表示手段と、携帯端末の回転を検出する回転検出手段（Ｓ１０１、Ｓ１０３）と、画面に接触があった場合、その接触位置を検出する位置検出手段（Ｓ１０５）と、回転が検出されたときに接触が検出された場合、検出された回転に応じて、検出された接触位置を回転中心として前記表示手段の画面を回転させる表示制御手段（Ｓ１０９）と、を備えた。【選択図】  図６
2010252197.tif 000002
【特許請求の範囲】
【請求項１】
画面を表示する表示手段と、
携帯端末の回転を検出する回転検出手段と、
前記表示手段の画面に接触があった場合、その接触位置を検出する位置検出手段と、
前記回転検出手段により回転が検出されたときに前記位置検出手段により接触が検出された場合、前記回転検出手段により検出された回転に応じて、前記位置検出手段により検出された接触位置を回転中心として前記表示手段の画面を回転させる表示制御手段と、
を備えたことを特徴とする携帯端末。
【請求項２】
前記回転検出手段は、前記携帯端末に加わる加速度を検出して、その加速度の変化に基づいて回転を検出することを特徴とする請求項１記載の携帯端末。
【請求項３】
地図情報を記憶する記憶手段と、
前記表示手段が前記記憶手段により記憶された地図情報を画面に表示したときに、前記表示手段の画面に表示される回転後の地図情報が前記記憶手段により記憶されていなかった場合、この不足分の地図情報を取得する取得手段とを備え、
前記表示制御手段は、前記表示手段の画面を回転させる際、前記記憶手段により記憶された地図情報、及び前記取得手段により取得された地図情報に基づいて、回転後の画面を生成することを特徴とする請求項１記載の携帯端末。
【請求項４】
地図情報を記憶する記憶手段を備え、
前記表示制御手段は、前記表示手段が前記記憶手段により記憶された地図情報を画面に表示したときに、前記表示手段の画面に表示される回転後の地図情報が前記記憶手段により記憶されていなかった場合、回転後の地図情報が前記記憶手段により記憶された地図情報の範囲内になるよう、回転後の表示領域をシフトさせることを特徴とする請求項１記載の携帯端末。
【請求項５】
編集可能な複数のセルを有する表計算情報の画面を表示する表示手段と、
携帯端末の回転を検出する回転検出手段と、
前記回転検出手段により回転が検出されたときに編集中のセルがあった場合、前記回転検出手段により検出された回転に応じて、前記編集中のセルが表示されるように前記表示手段の画面を回転させる表示制御手段と、
を備えたことを特徴とする携帯端末。
【発明の詳細な説明】
【技術分野】
【０００１】
本発明は、タッチスクリーンを備え、加速度に応じてこのタッチスクリーンの画面の表示方向を切り替える携帯端末に係り、具体的には、画面の表示方向の切り替え時に、画面のタップ位置を回転軸として画面を回転させる携帯端末に関する。
【背景技術】
【０００２】
近年、例えば画面表示を制御するために加速度センサを搭載した携帯端末が増えてきている。このような携帯端末では、端末に加わる加速動により端末の向きを判断して、画面の表示方向を変更させることができる。画面の表示方向は、例えば縦、横（右利き用）、横（左利き用）の３種類である。しかしながら、画面の縦方向のサイズと横方向のサイズとが大きく異なっていた場合には、画面の表示方向が変更されたときに、ユーザが画面上で注視していた部分が表示されなくなってしまう恐れがあった。
【０００３】
そこで、表示部の状態が変更された場合の表示内容を適切に変更できる携帯情報端末が提案されている（特許文献１参照）。この携帯情報端末は、メイン表示部が縦長状態から横長状態へと変更されたときに、メイン表示部に表示するために抽出される表示領域が、その左上端の点が共通するよう変更されるものである。
【０００４】
また、タッチスクリーン（液晶パネルのような表示装置とタッチパッドのような位置入力装置を組み合わせることにより表示機能及び入力機能の双方を備えた電子部品）を備えた携帯端末において、画面の表示方向を固定したまま、表示コンテンツをタッチ操作により、例えば、右回りに半回転なぞられると画面の表示内容を時計回りに９０度回転（左回りでは反時計回り）させるインタフェースが提供されている。
【先行技術文献】
【特許文献】
【０００５】
【特許文献１】特開２００８−１１８２８６号公報
【発明の概要】
【発明が解決しようとする課題】
【０００６】
携帯端末に加わる加速度に基づいて画面の表示方向を変換する方法において、画面の表示方向を変換する際、加速度センサの検知情報のみに基づいているため、ユーザが携帯端末を持ち歩きながら操作している場合や、別の動作をしながら携帯端末を操作している場合に、たとえば携帯端末が揺さぶられることにより、ユーザの意図に反して画面の表示方向が変換されてしまう恐れがあった。
【０００７】
本発明は、上記課題を鑑みてなされたものであり、加速度に基づいて画面の表示方向を変換できる携帯端末であって、画面の表示方向を変換する際に、ユーザに回転軸を指定させることで、ユーザの意図に反した変換を防止するとともに、表示内容のうちのユーザが表示させたい部分を表示させたままの状態で表示方向を変換することができる携帯端末を提供することを目的とする。
【課題を解決するための手段】
【０００８】
上記課題を解決するために、本発明に係る携帯端末は、画面を表示する表示手段と、携帯端末の回転を検出する回転検出手段と、前記表示手段の画面に接触があった場合、その接触位置を検出する位置検出手段と、前記回転検出手段により回転が検出されたときに前記位置検出手段により接触が検出された場合、前記回転検出手段により検出された回転に応じて、前記位置検出手段により検出された接触位置を回転中心として前記表示手段の画面を回転させる表示制御手段と、を備えたことを特徴とする。
【発明の効果】
【０００９】
本発明に係る携帯端末によると、加速度に基づいて画面の表示方向を変換することができ、画面の表示方向を変換する際に、ユーザに回転軸を指定させることで、ユーザの意図に反した変換を防止するとともに、表示内容のうちのユーザが表示させたい部分を表示させたままの状態で表示方向を変換することが可能となる。
【図面の簡単な説明】
【００１０】
【図１】本発明に係る携帯端末（携帯電話機）を示す斜視図。
【図２】本発明に係る携帯端末（携帯電話機）の機能を示すブロック図。
【図３】（Ａ）は、本発明に係る携帯端末（携帯電話機）を横方向で使用した状態を示す図、（Ｂ）は、本発明に係る携帯端末（携帯電話機）を縦方向で使用した状態を示す図。
【図４】表示設定画面を示す画面図。
【図５】（Ａ）は、本発明に係る携帯端末（携帯電話機）を横方向で使用したときにタッチスクリーンに表示される画面の一例を示す図、（Ｂ）は、本発明に係る携帯端末（携帯電話機）を縦方向で使用したときにタッチスクリーンに表示される画面の一例を示す図。
【図６】本発明に係る携帯端末（携帯電話機）が画面方向制御処理を行う際の手順を示すフローチャート。
【図７】（Ａ）は、本発明に係る携帯端末（携帯電話機）を横方向で使用した状態でタッチスクリーンに地図情報が表示されたときの画面の一例を示す図、（Ｂ）は、本発明に係る携帯端末（携帯電話機）を縦方向で使用した状態でタッチスクリーンに地図情報が表示されたときの画面の一例を示す図。
【図８】地図情報において、本発明に係る携帯端末（携帯電話機）を横方向で使用したときにタッチスクリーンに表示される領域、縦方向で使用したときにタッチスクリーンに表示される領域の一例を示す図。
【図９】地図情報において、本発明に係る携帯端末（携帯電話機）を横方向で使用したときにタッチスクリーンに表示される領域、縦方向で使用したときにタッチスクリーンに表示される領域の一例を示す図。
【図１０】地図情報において、本発明に係る携帯端末（携帯電話機）を横方向で使用したときにタッチスクリーンに表示される領域、縦方向で使用したときにタッチスクリーンに表示される領域の一例を示す図。
【図１１】表計算情報において、本発明に係る携帯端末（携帯電話機）を横方向で使用したときにタッチスクリーンに表示される領域、縦方向で使用したときにタッチスクリーンに表示される領域の一例を示す図。
【発明を実施するための形態】
【００１１】
本発明に係る携帯端末の実施形態について、添付図面を参照しながら説明する。本発明に係る携帯端末として、加速度センサとタッチスクリーンを備え、端末に加わっている加速度に応じてタッチスクリーンの画面の表示方向を変更することができる携帯電話機１を例に挙げて説明する。
【００１２】
図１は、携帯電話機１を示す斜視図である。携帯電話機１は、図１に示すように、矩形の板状の筐体１０を備えている。筐体１０の表面には、データを表示するとともに接触によりデータを入力するタッチスクリーン１１、音声を出力するためのスピーカ１２、音声を入力するためのマイクロフォン１３、及び、押下されることにより指示を入力する複数の操作キー１４が設けられている。
【００１３】
タッチスクリーン１１は、文字や画像などを含んだ表示データを表示する表示機能、及び、ユーザが指や専用のペンで画面に触れた際にこの接触位置を検知することにより指示を入力する入力機能の双方の機能を備えたディスプレイであり、このディスプレイの表面は例えば矩形の形状に形成されている。タッチスクリーン１１は、例えばディスプレイの上に、表面に接触を検知するための素子が複数配置され、さらにその上に透明なスクリーンが積層されることにより形成されている。タッチスクリーン１１上での接触を感知する方法は、圧力の変化を感知する感圧式であっても、静電気による電気信号を感知する静電式であっても、その他の方法であっても良い。
【００１４】
操作キー１４は、例えば、タッチスクリーン１１に表示されたカーソルを上下左右に移動させたり画面をスクロールさせたりするための方向キーや、電話発呼するための発呼キー、通話を終了するための終話キー、メール機能やＷｅｂ機能を起動するためのショートカットキーなどである。
【００１５】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、加速度検出部２６、及び記憶部２７がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述する画面方向制御処理や、その他の様々な演算処理や制御処理などを行う。電源回路部２１は、電源供給源（バッテリ等）を備え、例えば所定の操作キー１４を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１７】
操作入力制御部２２はタッチスクリーン１１に対する入力インタフェースを備えていて、タッチスクリーン１１に接触があったことを検知すると、その接触があった位置を示す信号を生成して主制御部２０に伝送する。また、操作入力制御部２２は操作キー１４に対する入力インタフェースを備えていて、操作キー１４が押下されたことを検知すると、その押下されたキーを示す信号を生成して主制御部２０に伝送する。信号を受信した主制御部２０は、この信号に基づいて様々な処理を行う。表示制御部２３はタッチスクリーン１１に対する表示インタフェースを備え、主制御部２０の制御に基づいて、表示画面データを生成してタッチスクリーン１１に表示させる。
【００１８】
音声制御部２４は、主制御部２０の制御に基づいて、マイクロフォン１３で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１２から音声として出力する。
【００１９】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１２から出力されたり、表示制御部２３に伝送されてタッチスクリーン１１に表示されたり、または記憶部２７に記録されたりする。また通信制御部２５は、主制御部２０の制御に基づいて、マイクロフォン１３で集音された音声データや、タッチスクリーン１１または操作キー１４を介して入力されたデータや記憶部２７に記憶されたデータを取得すると、これらのデータに対してスペクトラム拡散処理を行い、基地局に対してアンテナ２５ａを介して送信する。
【００２０】
加速度検出部２６は、携帯電話機１に加わっている加速度を検出する加速度センサ２６ａを備えていて、主制御部２０の制御に基づいて、または一定時間経過ごとに、加速度センサ２６ａにより検出された加速度を示す信号を生成して、この信号を主制御部２０に伝送する。
【００２１】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）などから構成される。また、主制御部２０が後述する画面方向制御処理を行う際の処理プログラムは、例えばＲＯＭに記憶されているものとする。
【００２２】
図３（Ａ）は、携帯電話機１を横方向にした状態を示す図であり、図３（Ｂ）は携帯電話機１を縦方向にした状態を示す図である。携帯電話機１は、図３（Ａ）に示すような横方向の向き（図１のＸ方向が水平方向に位置する向き）で使用されたり、図３（Ｂ）に示すような縦方向（図１のＸ方向が鉛直方向に位置する向き）の向きで使用されたりする。そこで、携帯電話機１は、これらのような使用状態によって画面の表示方向が変換されることが望ましい。
【００２３】
そのため携帯電話機１は、タッチスクリーン１１に画面を表示する際、ユーザ設定に基づいてこの画面の表示方向を制御する機能を備えている。図４は、タッチスクリーン１１の画面の表示方向を設定するための表示方向設定画面３０を示す画面図である。図４に示すように、表示方向設定画面３０は、表示方向を選択するための選択欄３１、選択欄３１にて選択されている表示方向を適用するための適用ボタン３２を備えている。表示方向の選択項目は、例えば“縦方向”、“横方向（右利き用）”、“横方向（左利き用）”、“自動”である。ユーザは、タッチスクリーン１１を用いていずれかの選択欄３１を選択した後に、適用ボタン３２を選択することにより、タッチスクリーン１１の画面の表示方向を設定する。
【００２４】
図５（Ａ）は、携帯電話機１を横方向で使用したときにタッチスクリーンに表示される画面の一例を示す図であり、（Ｂ）は、本発明に係る携帯端末（携帯電話機）を縦方向にしたときにタッチスクリーンに表示される画面の一例を示す図である。表示方向として“縦方向”が選択されている場合には、図５（Ｂ）に示すように、画面が縦方向（図１のＸ方向が鉛直方向に位置する向き）で表示され、表示方向として“横方向”が選択されている場合には、図５（Ａ）に示すように、画面が縦方向（図１のＸ方向が水平方向に位置する向き）で表示される。また、表示方向として“自動”の項目が選択されている場合には、加速度センサ２６ａにより検出された加速度の方向に基づいて、加速度の方向が画面の下側に位置するように表示方向が適宜選択される。すなわち、携帯電話機１が図３（Ａ）に示すように横方向で使用された場合には、図５（Ａ）に示すように、タッチスクリーン１１には横長のメニュー画面３３が表示され、携帯電話機１が図３（Ｂ）に示すように縦方向で使用された場合には、図５（Ｂ）に示すように、タッチスクリーン１１には縦長のメニュー画面３３が表示される。
【００２５】
表示方向が“自動”に設定されているときに携帯電話機１の使用状態が変更されて画面の表示方向が切り替わった場合、縦長の画面から横長の画面に、あるいは横長の画面から縦長の画面に切り替わるので、そのときにユーザが注視していた領域がタッチスクリーン１１の表示領域からはみ出してしまい表示されなくなってしまう状況が考えられる。そこで携帯電話機１は、使用状態が切り替わるときに、ユーザが注視している位置にタップすることで、そのタップ位置を回転軸として画面を回転させる機能を備えている。
【００２６】
ユーザは、携帯電話機１の縦横方向の使用状態を変更させたいときに、タッチスクリーン１１において回転中心としたい位置をタップしながら（あるいはタップした後に）携帯電話機１を回転させる。携帯電話機１は、タップされた位置を回転中心として画面を回転させて表示させる。これにより、ユーザは直感的に画面の表示方向を変換させることができる。この際、ユーザは、回転中にタップを継続させるようにしても、回転直前に１回タップを行うようにしても良い。
【００２７】
携帯電話機１が、この画面方向制御処理を行う際の手順について、図６に示すフローチャートに基づいて説明する。以下、例えば「ステップＳ１０１」を「Ｓ１０１」のように、「ステップ」の語句を省略して説明する。なお、例えばタッチスクリーン１１にＷＶＧＡ（Ｗｉｄｅ  Ｖｉｄｅｏ  Ｇｒａｐｈｉｃｓ  Ａｒｒａｙ；８００ｘ４８０ドット）の規格の画面が表示された場合を例に挙げて説明する。
【００２８】
まず主制御部２０は、携帯電話機１が回転されたか否かを判断する（Ｓ１０１）。この際、主制御部２０は、加速度センサ２６ａにより検出された加速度に基づいて、例えば携帯電話機１が図１のＺ軸の軸周りに所定角度（例えば９０度）以上回転された場合や、図１のＸ軸方向の加速度が所定値以上変化した場合に、携帯電話機１が回転されたものと判断する。携帯電話機１が回転されていない場合（Ｓ１０１のＮｏ）は、主制御部２０はそのまま待機する。
【００２９】
携帯電話機１が回転された場合（Ｓ１０１のＹｅｓ）は、主制御部２０は、ステップＳ１０１に回転が、図１に示すＺ軸の軸周りの回転か否かを判断する（Ｓ１０３）。Ｚ軸の軸周りの回転ではなかった場合（Ｓ１０３のＮｏ）は、携帯電話機１の使用状態が横向きから縦向きに、あるいは縦向きから横向きに変化したわけではないため、画面の表示制御は行わず、ステップＳ１０１に戻って、主制御部２０は携帯電話機１が再び回転されるまで待機する。
【００３０】
ステップＳ１０１における回転がＺ軸の軸周りの回転であった場合（Ｓ１０３のＹｅｓ）は、主制御部２０は、タッチスクリーン１１がタップされているか否かを判断する（Ｓ１０５）。この際、タップされているか否かの判断は、回転される直前にタップされたか否かであっても、回転中に継続してタップされているか否かであっても良い。タップされていない場合（Ｓ１０５のＮｏ）は、すなわち携帯電話機１がタップされずに回転された場合は、主制御部２０はユーザにより意図的に画面の回転が指示されたわけではないものと判断し、画面の表示制御は行わず、ステップＳ１０１に戻って、主制御部２０は携帯電話機１が再び回転されるまで待機する。
【００３１】
携帯電話機１がＺ軸の軸周りに回転されるときにタッチスクリーン１１がタップされていた場合（Ｓ１０５のＹｅｓ）は、主制御部２０は、タッチスクリーン１１におけるタップされた位置情報を取得する（Ｓ１０７）。そして、主制御部２０は、ステップＳ１０７にて取得した位置情報に基づいて、画面の表示方向を縦横に変換する（Ｓ１０９）。
【００３２】
図７（Ａ）は、携帯電話機１を横方向で使用した状態でタッチスクリーン１１に地図情報が表示されたときの画面の一例を示す図であり、図７（Ｂ）は、携帯電話機１を縦方向で使用した状態でタッチスクリーン１１に地図情報が表示されたときの画面の一例を示す図である。例えば図７（Ａ）に示すように、始めに携帯電話機１が図３（Ａ）に示すように横方向で使用されていて、地図情報が横長の画面で表示されていたときに、図３（Ｂ）に示すように、携帯電話機１が図１に示すＺ方向の軸周りに９０度回転された場合、図７（Ｂ）に示すように、地図情報が縦長の画面で表示される。このとき、図７（Ａ）に示す画面上の位置Ｐがタップされていた場合には、図７（Ｂ）に示すように、画面上の位置Ｐに表示されている表示位置は変更されず、位置Ｐを回転中心として、地図情報が９０度回転されて表示される。
【００３３】
図８は、タッチスクリーン１１に表示される地図情報において、携帯電話機１を横方向で使用したときにタッチスクリーン１１に表示される領域Ａ、縦方向で使用したときにタッチスクリーン１１に表示される領域Ｂの一例を示す図である。携帯電話機１は、例えば横向きでユーザに保持され、図８に示すように、例えばＱ１（０，４８０）、Ｑ２（０，０）、Ｑ３（８００，０）、Ｑ４（８００，４８０）の４点で囲まれた矩形の領域Ａをタッチスクリーン１１に表示しているときに、ユーザによりタッチスクリーン１１の位置Ｐがタップされながら、横向きから縦向きへと回転させられたときに、回転後に表示すべきデータの座標（すなわち縦向きの表示方向で表示すべきデータの座標）を計算する。タップされた位置の画面上の座標を（ｘ，ｙ）とすると、回転後にタッチスクリーン１１に表示される領域は、画面上の左上端から反時計回りに、Ｒ１（ｘ−（４８０−ｂ），ｙ＋ａ）、Ｒ２（ｘ＋ｂ，ｙ＋ａ）、Ｒ３（ｘ−（４８０−ｂ）），ｙ−（８００−ａ））、Ｒ４（ｘ＋ｂ，ｙ−（８００−ａ））の４点で囲まれた矩形の領域となる。携帯電話機１は、この領域Ｂの地図情報を切り出して回転させたものを表示データとし、タッチスクリーン１１に表示させる。なお、数値ａは、タップされた位置ＰのＸ座標から回転前の画面の左辺までの距離、数値ｂは、タップされた位置ＰのＹ座標から回転前の上辺までの距離である。
【００３４】
図９、図１０は、タッチスクリーン１１に表示される地図情報において、携帯電話機１を横方向で使用したときにタッチスクリーン１１に表示される領域Ａ、縦方向で使用したときにタッチスクリーン１１に表示される領域Ｂの一例を示す図である。携帯電話機１は、地図情報をタッチスクリーン１１に表示する際に、地図情報を所定領域ごとに通信制御部２５を介して受信するなどにより、予め一定領域の地図情報を記憶部２７に記憶しておくことで、この記憶された地図情報に基づいて表示する。
【００３５】
ところが携帯電話機１は、例えば横向きでユーザに保持され、図９に示すように、矩形の領域Ａをタッチスクリーン１１に表示しているときに、ユーザによりタッチスクリーン１１の位置Ｐがタップされながら、横向きから縦向きへと回転させられたときに、地図情報における回転後の領域Ｂの一部（領域Ｃ）が記憶部２７に記憶されていない場合がある。そこで、携帯電話機１は、地図情報を所定範囲ごとに通信制御部２５を介して受信して表示している場合には、地図情報における回転後の表示領域Ｂの一部（領域Ｃ）が未だ受信されていなかったときには、回転時に、領域Ｃの地図情報を通信制御部２５を介して受信して表示するようにすると良い。
【００３６】
また携帯電話機１は、例えば横向きでユーザに保持され、図１０に示すように、矩形の領域Ａをタッチスクリーン１１に表示しているときに、ユーザによりタッチスクリーン１１の位置Ｐがタップされながら、横向きから縦向きへと回転させられたときに、地図情報における回転後の領域Ｂの一部（領域Ｃ）が記憶部２７に記憶されていない場合に、例えばユーザの指示に従って、回転後の表示領域Ｂにおいて記憶部２７に記憶されていない領域Ｃの分だけ座標をシフトさせたものを表示領域Ｂ１とし、記憶している地図情報から表示領域Ｂ１を切り出して回転させたものを表示データとして、タッチスクリーン１１に表示するようにしても良い。
【００３７】
図１１は、表計算情報において、携帯電話機１を横方向で使用したときにタッチスクリーン１１に表示される領域Ａ、縦方向で使用したときにタッチスクリーン１１に表示される領域Ｂの一例を示す図である。図１１に示すように、携帯電話機１がタッチスクリーン１１に表計算情報を表示させているときに、例えば使用状態が横向きから縦向きに（あるいは縦向きから横向きに）変更された場合、アプリケーションの処理内容にも寄るが、通常は左上端のセルＳを回転中心として表示内容を回転させた領域Ｂが回転後に表示されるため、ユーザが表計算の作業していた場合には、作業中のセルＴが表示されなくなってしまう恐れがある。そこで、携帯電話機１は、作業中のセル（またはタップされている位置にあるセル）Ｔに基づいて、回転後に、ユーザの作業中のセルＴが表示されるように表計算情報の座標をシフトさせた領域Ｂ１を表示させると良い。図１１に示す例では、セルＤ−６と作業中のセルＴ（セルＦ−１１）の差分、右に２セル（＝Ｆ−Ｄ）および上に５セル（＝１１−６）だけ表示位置がシフトされる。
【００３８】
このように携帯電話機１は、縦向きから横向きに、あるいは横向きから縦向きに使用状態が変更されたときに、画面がタップされていた場合、そのタップ位置を回転軸として画面の表示方向を変換する。例えば横置きでタッチスクリーン１１に地図を表示させていたときに、ユーザが、進行方向の詳細な地図情報を知りたい場合に、タッチスクリーン１１をタップしながら携帯電話機１を回転させるという簡単な操作で、進行方向の詳細な地図情報を表示させることができる。これにより、ユーザが携帯電話機１を横向きにして地図を閲覧しているときに、進行方向の詳細情報が知りたくなった場合などに、画面をタップすることにより回転中心を指定しつつ携帯電話機１を縦向きに持ち変えることで、画面の表示方向を簡単に変換することができる。
【００３９】
また、加速度センサ２６ａのみで（携帯電話機１の回転を検知するのみで）画面の表示方向を変換させることも考えられるが、その場合には、ユーザが移動している場合などに携帯電話機１が揺さぶられてしまってユーザの意図に反した表示方向の変換が行われてしまう恐れがあった。携帯電話機１は、画面の表示方向を変換する際に、ユーザにタッチスクリーン１１をタップさせて画面の回転軸を決定させることにより、ユーザの意図に反して画面の表示方向を変換してしまうことが防止される。
【００４０】
既に、タップ、ドラッグ、ピッチアウト／イン（画像の拡大縮小表示）等々、タッチスクリーンを利用した様々なユーザインタフェースが規定されているが、携帯電話機１では、指定された回転中心に基づいた画面の回転という、新規のユーザインタフェースを提供することができる。
【００４１】
本発明に係る携帯端末（携帯電話機１）によると、加速度に基づいて画面の表示方向を変換することができ、画面の表示方向を変換する際に、ユーザに回転軸を指定させることで、ユーザの意図に反した変換を防止するとともに、表示内容のうちのユーザが表示させたい部分を表示させたままの状態で表示方向を変換することが可能となる。
【００４２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、タッチスクリーン及び画面の表示方向を切り替える機能を備えている通信端末であれば、任意の携帯端末であっても良い。
【符号の説明】
【００４３】
１…携帯電話機，１０…筐体，１１…タッチスクリーン，１２…スピーカ，１３…マイクロフォン，１４…操作キー，２０…主制御部，２１…電源回路部，２２…操作入力制御部，２３…表示制御部，２４…音声制御部，２５…通信制御部，２５ａ…アンテナ，２６…加速度検出部，２６ａ…加速度センサ，２７…記憶部，３０…画面方向設定画面，３１…選択欄，３２…適用ボタン，３３…メニュー画面，Ａ、Ｂ、Ｂ１、Ｃ…領域，Ｐ、Ｑ、Ｒ…点、Ｓ、Ｔ…セル。
【図１】
2010252197.tif 000003
【図２】
2010252197.tif 000004
【図３】
2010252197.tif 000005
【図４】
2010252197.tif 000006
【図５】
2010252197.tif 000007
【図６】
2010252197.tif 000008
【図７】
2010252197.tif 000009
【図８】
2010252197.tif 000010
【図９】
2010252197.tif 000011
【図１０】
2010252197.tif 000012
【図１１】
2010252197.tif 000013